(57)【要約】【課題】紙幣の収納不良が起こらず、軽く簡素な金庫を有する紙幣収納装置を提供する。【解決手段】一次保留部１８，２３と、仕切り板および支持板と、仕切り板と支持板間に紙幣を収納する紙幣収納部２１，２６と、仕切り板の一次保留部側に紙幣を一時的に保留する二次保留部２０，２５を有し、一次保留部側に開口部を有する箱状の金庫と、一次保留部に対して金庫と反対側に位置し、一次保留部に保留された一次保留紙幣、または二次保留部に保留された二次保留紙幣を金庫に押し込むためのプッシャを有するプッシャ機構１９，２４とを備え、一次保留部と二次保留部とを縦方向に配列し、一次保留部が本体に固定されており、金庫２２，２７は、一次保留部を挿入するための一次保留部挿入部が設けられており、取り外し自在なカセット式金庫である。【選択図】  図２
2004206335.tif 000002
【特許請求の範囲】
【請求項１】
利用客が挿入した紙幣を返却可能に一時的に保留するための一次保留部と、
上下動可能な開口を有する仕切り板および支持板と、前記仕切り板と前記支持板間に紙幣を収納する紙幣収納部と、前記仕切り板の前記一次保留部側に紙幣を一時的に保留する二次保留部と、前記一次保留部側に開口部を有する箱状の金庫と、
前記一次保留部に対し前記金庫と反対側に位置し、前記一次保留部に保留された一次保留紙幣、または前記二次保留部に保留された二次保留紙幣を前記金庫に押し込むためのプッシャを有するプッシャ機構と、
前記二次保留部に保管されている二次保留紙幣を前記紙幣収納部に押し込む際に、前記仕切り板を固定するためのストッパと、
を備え、前記一次保留部と二次保留部とを縦方向に配列し、
前記一次保留部が本体に固定されており、
前記金庫は、前記一次保留部を挿入するための一次保留部挿入部が設けられており、取り外し自在なカセット式金庫であることを特徴とする紙幣収納装置。
【請求項２】
前記金庫は、前記一次保留部挿入部の入り口にシャッタを備えていることを特徴とする請求項１記載の紙幣収納装置。
【発明の詳細な説明】
【０００１】
【発明の属する技術分野】
本発明は、紙幣収納装置に関し、特に、自動券売機、自動販売機等における簡素化を図れるようにしたカセット式紙幣金庫を備えた紙幣収納装置に関するものである。
【０００２】
【従来の技術】
自動券売機等において、紙幣が挿入された場合の紙幣収納装置としては、図１１に概略的に示されている（例えば、特許文献１参照）。この紙幣収納装置１０１は、挿入された紙幣を一時的に保留する一次保留部１０２と、一次保留部１０２から移送されてきた紙幣を一時的に保留する二次保留部１０３と、二次保留部１０３から完全に紙幣を収納する紙幣収納部である金庫１０４と、を備えている。
【０００３】
【特許文献１】
特願平８−２５８８８５３号公報
【０００４】
一次保留部１０２に保留される一次保留紙幣Ｃ１は、利用客が自動券売機に紙幣を挿入しただけであって、利用客が接客処理をせずに取り消しキーを押したときは、一次保留紙幣Ｃ１を利用客に返却するために一時的に保留されるものである。いわゆる一次保留紙幣Ｃ１は、未だ利用客と駅（局）側との乗車券購入のための取り引きが成立していない状態であり利用客の紙幣である。
【０００５】
二次保留部１０３に保留される二次保留紙幣Ｃ２は、利用客が自動券売機に紙幣を挿入した後に、接客処理を行ったとき、プッシャ１０５の上昇により一次保留紙幣Ｃ１が金庫１０４内の二次保留部１０３に押し込められて保留されるものである。すなわち、二次保留部１０３に保留される二次保留紙幣Ｃ２は、利用客が接客処理を行い、乗車券の発行および釣り銭の放出がなされた場合、利用客と駅側との乗車券購入のための取り引きが成立した状態であって、この紙幣は駅側のお金であることを意味するものである。しかし、乗車券の発行および釣り銭の放出後に、利用客から釣り銭が少ないなどという苦情が出た場合、利用客が入れた紙幣はこの紙幣であると確認するために取り引き終了後であっても一時的に二次保留部１０３に紙幣を保管しておく必要がある。従って、この二次保留紙幣Ｃ２は、一次保留紙幣Ｃ１と異なり返却はされない。
【０００６】
二次保留部１０３に保留されている紙幣Ｃ２は、次の利用客が紙幣を投入したとき、投入紙幣をセンサにより検知して、この検知信号に基づき金庫１０４内にプッシャ１０５が下降し紙幣収納部１０６に収納される。
【０００７】
投入された紙幣は、利用客側のお金であるか、駅側のお金であるかを明確に区別しておく必要があり、上述のように投入紙幣を一次保留部１０２と二次保留部１０３とに保留するようにしている。
【０００８】
図１２、図１３は、従来の紙幣収納装置の一次保留部と金庫の配置を示す図である。図１２においては、一次保留部の駆動部１０７が本体１０８と一体となっており、金庫１０９は、その一次保留部の駆動部１０７の上方に収納するような構造となっており、下部にはシャッタ１１０のスペースが設けられている。また、図１３においては、金庫１１１の内部に一次保留部の駆動部１１２が内蔵されている構造となっており、シャッタ１１３がその一次保留部の入り口に設けられている。
【０００９】
【発明が解決しようとする課題】
しかしながら、図１２で示す紙幣収納装置の一次保留部と金庫の配置では、金庫を一次保留部の上方に収めるとき横ずれを起こしたまま収められた場合、一次保留部から収納部へ紙幣を収納する際、紙幣がシャッタのスペースを通過するとき、その金庫の横ずれのために紙幣の収納不良が発生してしまうという問題点がある。また、図１３で示す紙幣収納装置の一次保留部と金庫の配置では、紙幣の収納不良の問題は改善されるが、一次保留部の駆動部の本体との接続機構が複雑となり、さらに、一次保留部を形成する搬送部が金庫に内蔵されているため、金庫の重量が増えてしまうという問題点がある。
【００１０】
本発明の目的は、上記問題を解決するため、紙幣の収納不良が起こらず、軽く簡素な金庫を有する紙幣収納装置を提供することである。
【００１１】
【課題を解決するための手段および作用】
本発明に係る紙幣収納装置は、上記の目的を達成するために、次のように構成される。
【００１２】
第１の紙幣収納装置（請求項１に対応）は、利用客が挿入した紙幣を返却可能に一時的に保留するための一次保留部と、上下動可能な開口を有する仕切り板および支持板と、仕切り板と支持板間に紙幣を収納する紙幣収納部と、仕切り板の一次保留部側に紙幣を一時的に保留する二次保留部と、一次保留部側に開口部を有する箱状の金庫と、一次保留部に対して金庫と反対側に位置し、一次保留部に保留された一次保留紙幣、または二次保留部に保留された二次保留紙幣を金庫に押し込むためのプッシャを有するプッシャ機構と、二次保留部に保管されている二次保留紙幣を紙幣収納部に押し込む際に、仕切り板を固定するためのストッパとを備え、一次保留部と二次保留部とを縦方向に配列し、一次保留部が本体に固定されており、金庫は、一次保留部を挿入するための一次保留部挿入部が設けられており、取り外し自在なカセット式金庫であることで特徴づけられる。
【００１３】
第１の紙幣収納装置によれば、金庫には一次保留部を挿入するための一次保留部挿入部が設けられており、取り外し自在なカセット式金庫であるため、金庫の一次保留部との横ずれが起こらず、紙幣の収納不良を起こらなくすることができる。また、金庫に一次保留部を内蔵しないので、一次保留部の駆動部の接続機構が必要なくなり、さらに、金庫の重量も増えないようにすることができる。
【００１４】
第２の紙幣収納装置（請求項２に対応）は、上記の構成において、好ましくは金庫は、一次保留部挿入部の入り口にシャッタを備えていることで特徴づけられる。
【００１５】
第２の紙幣収納装置によれば、金庫は、一次保留部挿入部の入り口にシャッタを備えているため、金庫を取り出すときには、一次保留部が挿入される入り口をシャッタで塞ぐので、それにより、金庫からの紙幣の盗難を防ぐことができる。
【００１６】
【発明の実施の形態】
以下、本発明の好適な実施形態を添付図面に基づいて説明する。
【００１７】
図１は自動券売機または自動販売機等における紙幣の流れを示した概略図である。挿入口１１に挿入された紙幣Ｃ１０は、紙幣鑑別機１２により紙幣の真偽を識別された後、１万円収納装置１３、５千円収納装置１４、２千円収納装置１５、千円収納装置１６にそれぞれ振り分けられ収納される。釣り札受取口１７には、取り消しボタンの操作により挿入された紙幣が返却される他、高額紙幣を挿入した場合の釣り札が排出される。
【００１８】
図２は図１に示した各紙幣収納装置のうち、一例として２千円収納装置１５、千円収納装置１６を具体的に示した図である。２千円収納装置１５、千円収納装置１６は、挿入された２千円札からなる紙幣Ｃ１１を一時的に保留する上部一次保留部１８と、上部一次保留部１８の上部に配置された上部プッシャ機構１９と、駅（局）側のお金となる二次保留部２０および紙幣収納部２１を有する金庫２２を備え、また、挿入された千円札からなる紙幣Ｃ２１を一時的に保留する下部一次保留部２３と、下部一次保留部２３の下部に配置された下部プッシャ機構２４と、駅（局）側のお金となる二次保留部２５および紙幣収納部２６を有する金庫２７とを備えている。上部一次保留部１８と下部一次保留部２３とプッシャ１９ａ，２４ａは、本体に固定され、フレーム２８により覆われている。金庫２２は、フレーム２８の上部一次保留部１８が納まった突出部２９が挿入される一次保留部挿入部２９ｂを備え、金庫２７は、フレーム２８の下部一次保留部２３が納まった突出部３０が挿入される一次保留部挿入部３０ｂを備えている。金庫２２，２７は、取っ手を引くことにより引き抜くことができるカセット式の金庫であり、一次保留部は本体に固定されているため、金庫２２，２７を引き抜くとき、一次保留部が納まった突出部２９，３０は、一次保留部挿入部２９ｂ，３０ｂから抜き出される。それにより、引き抜いた金庫には一次保留部の駆動部がないため、重量を軽いものにすることができる。また、金庫を本体に収めたときに、一次保留部が納まった突出部２９あるいは３０が、金庫２２，２７の一次保留部挿入部２９ｂ、３０ｂに精度良く収納されるため、紙幣の収納不良を起こらなくすることができる。
【００１９】
上部一次保留部１８は、利用客が挿入した紙幣を一時的に保留するものであって、利用客が未だ接客処理を行っていない場合に紙幣を保留するところである。従って、この上部一次保留部１８に保留される一次保留紙幣Ｃ１１は、利用客のお金であって、未だ駅側のお金ではなく、利用客が取り消しボタンあるいは返却ボタンを操作することにより返却される。上部一次保留部１８には、上下のベルトＢ１，Ｂ２を有する搬送・返却機構３２が配置されている。３３は駆動ローラであって、駆動ローラ３３とピンチローラ３４との間に下ベルトＢ２を巻回している。３５，３６は下ベルトＢ２が弛まないようにするためのテンションローラである。３７は押さえローラであって、小径のピンチローラ３８との間に上ベルトＢ１が掛け渡されている。上ベルトＢ１と下ベルトＢ２との間に紙幣が挟まれて、駆動ローラ３３が正転の場合は、紙幣は上部一次保留部１８に搬送されて保留される。駆動ローラ３３が逆転した場合は、一次保留紙幣Ｃ１１は利用客に返却される。
【００２０】
下部一次保留部２３は、上部一次保留部１８と同様、利用客が挿入した紙幣を一時的に保留するものであって、利用客が未だ接客処理を行っていない場合に紙幣を保留するところである。従って、この下部一次保留部２３に保留される一次保留紙幣Ｃ２１は、利用客のお金であって、未だ駅側のお金ではなく、利用客が取り消しボタンあるいは返却ボタンを操作することにより返却される。下部一次保留部２３には、上下のベルトＢ３，Ｂ４を有する搬送・返却機構３９が配置されている。４０は駆動ローラであって、駆動ローラ４０とピンチローラ４１との間に上ベルトＢ３を巻回している。４２，４３は下ベルトＢ３が弛まないようにするためのテンションローラである。４４は押さえローラであって、小径のピンチローラ４５との間に下ベルトＢ４が掛け渡されている。上ベルトＢ３と下ベルトＢ４との間に紙幣が挟まれて、駆動ローラ４０が正転の場合は、紙幣は下部一次保留部２３に搬送されて保留される。駆動ローラ４０が逆転した場合は、下部一次保留紙幣Ｃ２１は利用客に返却される。
【００２１】
上部プッシャ機構１９は、モータ１９ｍとモータ１９ｍの軸１９ｓに固定されたクランク１９ｃとクランク１９ｃと上側に位置する案内１９ｂと、案内１９ｂにより直線上に上下に可動する挺１９ｄを有するプッシャ１９ａとから成っている。モータ１９ｍが回転すると軸１９ｓに固定されたクランク１９ｃが回転し、それにより、挺１９ｄが上下動し、それとともに、案内１９ｂに案内されてプッシャ１９ａは上下動する。下部プッシャ機構２４は、上部プッシャ機構１９と同様の構造のものを上下逆転して用いたものである。
【００２２】
図３に金庫の斜視図を示す。図２と図３により金庫２７を説明すると、金庫２７は、一次保留紙幣Ｃ２１を駅側に一時的に保留して下部二次保留部２５と下部紙幣収納部２６とを仕切るための下部仕切り板６０と、下部紙幣収納部２６に収納された紙幣を支持する下部支持板６１とを有している。下部仕切り板６０は、上面から見るとフォーク形状となっており開口を有しており、基部６２において垂直に立てられたガイドバー６３に対して上下動できるように連結されている。下部支持板６１は、上面から見ると先端部側において二股形状をしており、基部６４においてガイドバー６３に対して上下動できるように連結されている。下部仕切り板６０の下部が下部二次保留部２５であって、下部二次保留部２５に保留された二次保留紙幣Ｃ２２は、駅側のお金となる。
【００２３】
一次保留部挿入部３０ｂは、一次保留部突出部３０を挿入するところであり、入り口にはシャッタ６４がバネ機構とともに設けられており、金庫２７を本体に入れるとき、シャッタ６４は一次保留部突出部３０に押されて倒れるようになっている。また、金庫２７を取り出すときは、一次保留部挿入部３０ｂから一次保留部突出部３０が出たとき、バネ機構によりシャッタ６４は入り口を閉じる。
【００２４】
また、金庫２２は、一次保留紙幣Ｃ１１を駅側に一時的に保留して上部二次保留部２０と上部紙幣収納部２１とを仕切るための上部仕切り板６５と、上部紙幣収納部２１に収納されるときに紙幣を支持する上部支持板６６とを有している。上部仕切り板６５は、下部仕切り板６０と同様に、上面から見るとフォーク形状となっており開口を有しており、基部６７において垂直に立てられたガイドバー６８に対して上下動できるように連結されている。上部支持板６６は、上面から見ると先端部側において二股形状をしており、基部６８においてガイドバー６８に対して上下動できるように連結されている。上部仕切り板６５の上部が上部二次保留部２０であって、上部二次保留部２０に保留された二次保留紙幣Ｃ１２は、駅側のお金となる。
【００２５】
一次保留部挿入部２９ｂは、一次保留部突出部２９を挿入するところであり、入り口には図示しないシャッタがバネ機構とともに設けられており、金庫２２を本体に入れるとき、シャッタは一次保留部突出部２９に押されて倒れるようになっている。また、金庫２２を取り出すときは、一次保留部挿入部２９ｂから一次保留部突出部２９が出たとき、バネ機構によりシャッタは入り口を閉じる。
【００２６】
７０，７１は紙幣繰り出し機構であって、紙幣繰り出し機構７０，７１は、駆動ローラ７２，７３と、紙幣を一枚ずつ繰り出すための繰り出しローラ７４，７５と、駆動ローラ７２，７３とで繰り出された紙幣を排出するため押さえローラ７６，７７からなっている。繰り出しローラ７４は、上部支持板６１の二股部に位置できるようになっており、下部紙幣収納部２６に収納された収納紙幣Ｃ２３を釣り銭として出す際に、収納紙幣Ｃ２３を下から一枚ずつ送り出すようになっており、形状としては、例えばカム形状となっている。また、繰り出しローラ７５は、上部支持板６６の二股部に位置できるようになっており、上部紙幣収納部２１に収納された収納紙幣Ｃ１３を釣り銭として出す際に、収納紙幣Ｃ１３を上から一枚ずつ送り出すようになっており、形状としては、例えばカム形状となっている。
【００２７】
また、２千円札収納装置１５と千円札収納装置１６は、上部二次保留部２０に保管されている二次保留紙幣Ｃ１２を上部紙幣収納部２１に押し込む際に、上部仕切り板６５を固定するための上部ストッパ８２と、下部二次保留部２５に保管されている二次保留紙幣Ｃ２２を下部紙幣収納部２６に押し込む際に、下部仕切り板６０を固定するための下部ストッパ８４を備えている。
【００２８】
次に、図４〜図１０に基づき挿入された紙幣を収納するための動作について説明する。
【００２９】
図４は、利用客が自動券売機１０等に紙幣を挿入し、接客処理を未だ行っていない状態の紙幣の位置関係を示している。このように接客が終了していない場合の挿入された紙幣は、紙幣が２千円札の場合には、上部一次保留部１８に一次保留紙幣Ｃ１１として一時的に保留される。また、千円札の場合には、下部一次保留部２３に一次保留紙幣Ｃ２１として一時的に保留される。これら上部一次保留部１８あるいは下部一次保留部２３にある一次保留紙幣Ｃ１１，Ｃ２１は、未だ客側のお金であり、返却可能なお金である。このように上部一次保留部１８あるいは下部一次保留部２３に紙幣が保留されている状態では、金庫２２，２７内の上部二次保留部２０と下部二次保留部２５には紙幣がない状態であり、また、プッシャ１９ａは上方に位置し、プッシャ２４ａは下方に位置している状態である。
【００３０】
自動券売機１０に挿入された紙幣が２千円札である場合、利用客の接客処理、すなわち、利用客が乗車券の購入ボタンを操作し、乗車券および釣り銭が放出されると、乗車券の購入取り引きが終了したとして、プッシャ１９ａは、図５に示されるようにモータの動作より下降し、金庫２２の開口部８０内に進入し、一次保留紙幣Ｃ１１と共に、紙幣収納部２１を押し下げる。この押し下げによって、上部仕切り板６５および上部支持板６６は、図２に示すガイドバー６８に沿って下方に移動する。このようにして一次保留紙幣Ｃ１１は、金庫２２内の上部仕切り板６５の上部に位置し上部二次保留部２０に移行される。このとき、金庫の一次保留部１８との横ずれが起こらず、紙幣の収納不良を起こらなくすることができる。
【００３１】
図６は、モータが動作しプッシャ１９ａが上方に移動し、これに伴い上部仕切り板６５および上部支持板６６も上方に移動し、挿入された紙幣が上部二次保留部２０に二次保留紙幣Ｃ１２として保留された状態を示している。この状態では二次保留紙幣Ｃ１２は、金庫２２内に入った状態であり、利用客に返却されることはなく、駅側のお金となる。従って、図４において示した一次保留紙幣Ｃ１１と、二次保留紙幣Ｃ１２とは、明確に区別される。利用客が接客処理の終了後に、例えば釣り銭が足りないなどと苦情を駅員に言ってきた場合、利用客が挿入した紙幣が上部二次保留部２０に保留されているので、挿入金額を確認することができる。
【００３２】
図６に示した状態において、次の利用客が、紙幣を自動券売機１０等に挿入した場合、紙幣の投入をセンサ等で検知して図７に示すようにプッシャ機構を作動させると同時に、上部仕切り板６５が下方に移動しないように上部ストッパ８２が作動する。上部ストッパ８２としては、電極ソレノイドを用いてプランジャを出没可能にすることによりプランジャの先端が上部仕切り板６５に当節することにより、上部仕切り板６５が動かないように固定するようにしてもよく、上部ストッパ８２自体が旋回することにより上部仕切り板６５を固定するようにしてもよい。従って、二次保留紙幣Ｃ１２は、上部仕切り板６５のフォーク状のスリット（開口）を介して紙幣収納部２１内に押し込まれ、このとき、上部支持板６６のみが図２に示すガイドバー６８に沿って下方に移動する。二次保留紙幣Ｃ１２を紙幣収納部２１内に収納し終わると、二次保留紙幣Ｃ１２は収納紙幣Ｃ１３となり、その後プッシャ機構が動作しプッシャ１９ａおよび上部支持板６６は上方に移動する。プッシャ１９ａが完全に上方に移動し終わった後に、前述したように次の利用客が挿入した紙幣は、図４に示すように上部一次保留部１８に保留される。
【００３３】
自動券売機１０に挿入された紙幣が千円札である場合、利用客の接客処理、すなわち、利用客が乗車券の購入ボタンを操作し、乗車券および釣り銭が放出されると、乗車券の購入取り引きが終了したとして、プッシャ２４ａは、図８に示されるようにプッシャ機構の動作により上昇し、金庫２７の開口部８１内に進入し、一次保留紙幣Ｃ２１と共に、紙幣収納部２６を押し上げる。この押し上げによって、下部仕切り板６０および下部支持板６１は、図２に示すガイドバー６３に沿って上方に移動する。このようにして一次保留紙幣Ｃ２１は、金庫２７内の下部仕切り板６０の下部に位置し下部二次保留部２５に移行される。このとき、金庫の一次保留部との横ずれが起こらず、紙幣の収納不良を起こらなくすることができる。
【００３４】
図９は、プッシャ機構が動作しプッシャ２４ａが下方に移動し、これに伴い下部仕切り板６０および下部支持板６１も下方に移動し、挿入された紙幣が下部二次保留部２５に二次保留紙幣Ｃ２２として保留された状態を示している。この状態では二次保留紙幣Ｃ２２は、金庫２７内に入った状態であり、利用客に返却されることはなく、駅側のお金となる。従って、図４において示した一次保留紙幣Ｃ２１と、二次保留紙幣Ｃ２２とは、明確に区別される。利用客が接客処理の終了後に、例えば釣り銭が足りないなどと苦情を駅員に言ってきた場合、利用客が挿入した紙幣が下部二次保留部２５に保留されているので、挿入金額を確認することができる。
【００３５】
図９に示した状態において、次の利用客が、紙幣を自動券売機１０等に挿入した場合、紙幣の投入をセンサ等で検知して図１０に示すようにプッシャ機構を作動させると同時に、下部仕切り板６０が上方に移動しないように下部ストッパ８４が作動する。下部ストッパ８４としては、上部ストッパ８２と同様に、電極ソレノイドを用いてプランジャを出没可能にすることによりプランジャの先端が下部仕切り板６０に当節することにより、下部仕切り板６０が動かないように固定するようにしてもよく、下部ストッパ８４自体が旋回することにより下部仕切り板６０を固定するようにしてもよい。従って、二次保留紙幣Ｃ２２は、下部仕切り板６０のフォーク状のスリット（開口）８５を介して紙幣収納部２５内に押し込まれ、このとき、下部支持板６１のみが図２に示すガイドバー６３に沿って上方に移動する。二次保留紙幣Ｃ２２を紙幣収納部２６内に収納し終わると、二次保留紙幣Ｃ２２は収納紙幣Ｃ２３となり、その後プッシャ機構は動作しプッシャ２４ａおよび下部支持板６１は下方に移動する。プッシャ２４ａが完全に下方に移動し終わった後に、前述したように次の利用客が挿入した紙幣は、図４に示すように下部一次保留部２３に保留される。
【００３６】
なお、上記の説明は、２千円札および千円札収納装置１５，１６について行ったが、１万円札および５千円札収納装置１３，１４も２千円札および千円札収納装置１５，１６と同様の構成と動作を行うものであるので説明を省略する。
【００３７】
また、収納された紙幣を回収するために、金庫を取り出すときは、取っ手を引くことにより取り出すが、そのとき、金庫に一次保留部を内蔵しないので、一次保留部の駆動部の接続機構がないので容易に取り外すことができ、さらに、金庫の重量も軽いので容易に持ち運ぶことができる。
【００３８】
【発明の効果】
以上の説明で明らかなように本発明によれば、次の効果を奏する。
【００３９】
金庫は、一次保留部を挿入するための一次保留部挿入部が設けられており、取り外し自在なカセット式金庫であるため、金庫の一次保留部との横ずれが起こらず、紙幣の収納不良を起こらなくすることができる。また、金庫に一次保留部を内蔵しないので、一次保留部の駆動部の接続機構が必要なくなり、さらに、金庫の重量も増えないようにすることができる。
【００４０】
また、金庫は、一次保留部挿入部の入り口にシャッタを備えているため、金庫を取り出すときには、一次保留部が挿入される入り口をシャッタで塞ぐので、それにより、金庫からの紙幣の盗難を防ぐことができる。
【図面の簡単な説明】
【図１】自動券売機または自動販売機等における紙幣の流れを示した概略図である。
【図２】本発明に係る紙幣収納装置の概略的断面図である。
【図３】金庫の斜視図である。
【図４】挿入された紙幣が上部および下部一次保留部に保留された状態の側面から見た紙幣収納装置の概略的断面図である。
【図５】一次保留紙幣がプッシャにより上部二次保留部に押し込まれる状態を示した紙幣収納装置の概略的断面作用図である。
【図６】一次保留紙幣が上部二次保留部に二次保留紙幣として保留された状態を示した紙幣収納装置の概略的断面作用図である。
【図７】二次保留紙幣がプッシャにより上部紙幣収納部に押し込まれる状態を示した紙幣収納装置の概略的断面作用図である。
【図８】一次保留紙幣がプッシャにより下部二次保留部に押し込まれる状態を示した紙幣収納装置の概略的断面作用図である。
【図９】一次保留紙幣が下部二次保留部に二次保留紙幣として保留された状態を示した紙幣収納装置の概略的断面作用図である。
【図１０】二次保留紙幣がプッシャにより下部紙幣収納部に押し込まれる状態を示した紙幣収納装置の概略的断面作用図である。
【図１１】従来の紙幣収納装置を示した概略図である。
【図１２】従来の紙幣収納装置の金庫を示した図である。
【図１３】従来の紙幣収納装置の金庫を示した図である。
【符号の説明】
１０          自動券売機
１１          挿入口
１２          紙幣鑑別器
１３          １万円収納装置
１４          ５千円収納装置
１５          ２千円収納装置
１６          千円収納装置
１７          釣り札受取口
１８          上部一次保留部
１９          上部プッシャ機構
２０          二次保留部
２１          紙幣収納部
２２          金庫
２３          下部一次保留部
２４          下部プッシャ機構
２５          二次保留部
２６          紙幣収納部
２７          金庫
２８          フレーム
２９          突出部
３０          突出部
３０ｂ        一次保留部挿入部
８２          上部ストッパ
８４          下部ストッパ
【図１】
2004206335.tif 000003
【図２】
2004206335.tif 000004
【図３】
2004206335.tif 000005
【図４】
2004206335.tif 000006
【図５】
2004206335.tif 000007
【図６】
2004206335.tif 000008
【図７】
2004206335.tif 000009
【図８】
2004206335.tif 000010
【図９】
2004206335.tif 000011
【図１０】
2004206335.tif 000012
【図１１】
2004206335.tif 000013
【図１２】
2004206335.tif 000014
【図１３】
2004206335.tif 000015